(57)【要約】【課題】体積が小さく、制御角度の制限が比較的少ないカメラの絞りシャッター駆動構造を提供する。      【解決手段】カメラの絞りシャッター駆動構造は、駆動部及び回転部を軸方向に枢設する。この駆動部は第一固定子、第二固定子、及び第一、第二固定子の間に設置するコイルユニットを含む。このコイルユニットは、第二固定子の鉄心に差し込む。第一固定子と第二固定子には第一羽部と第二羽部が伸び、第一、第二羽部は円弧形で相互に交錯して設置し、それらが囲んだ円形空間に回転部を納置する。回転部は軸桿で駆動部の鉄心上に枢設し、且つ回転部の回転子は第一、第二羽部が囲んだ空間内に位置する。回転部は回転子上に連動部品を設置し、その連動部品を通して回転子が絞りシャッターを動かす。【選択図】図３
0003126577.tif 000002
【実用新案登録請求の範囲】
【請求項１】
主に軸方向に設置した第一固定子、第二固定子、コイルユニット及び回転子から構成されたカメラの絞りシャッター駆動構造において、
第一固定子と第二固定子の間にコイルユニットを設置し、第一固定子には軸向きに第一羽部が伸び、第二固定子には軸向きに第二羽部が伸び、この第一羽部と第二羽部は対応する円弧形を形成して円形に囲まれた空間に回転子を定位し、第一、第二羽部の磁力を受けて回転し、絞りシャッターを動かすことを特徴とするカメラの絞りシャッター駆動構造。
【請求項２】
前記回転子は、連動部品に設置し、連動部品が絞りシャッターを動かすことを特徴とする請求項１記載のカメラの絞りシャッター駆動構造。
【請求項３】
前記第一固定子は蓋形状で、中央には定位孔が貫設され、第二固定子は盤形状で、中央には穿孔が貫設され、穿孔の外に鉄心が成形されて定位孔に固定され、回転子を軸桿で鉄心に枢設し、回転する結合形態で回転子が第一、第二羽部によって囲まれた空間内に定位されることを特徴とする請求項１記載のカメラの絞りシャッター駆動構造。
【請求項４】
前記第一固定子は、複数の第一羽部が伸び、第二固定子には複数の第二羽部が伸び、且つ第一羽部と第二羽部は相互に交錯して設置されることを特徴とする請求項１記載のカメラの絞りシャッター駆動構造。
【請求項５】
前記第一固定子は、二個の第一羽部が伸び、第二固定子には二個の羽部が伸び、これによって回転子の最低回転角度が９０度まで下がることを特徴とする請求項４記載のカメラの絞りシャッター駆動構造。
【請求項６】
前記第一固定子は、三個の第一羽部が伸び、第二固定子には三個の羽部が伸び、これによって回転子の最低回転角度が６０度まで下がることを特徴とする請求項４記載のカメラの絞りシャッター駆動構造。
【請求項７】
前記第一固定子は、四個の第一羽部が伸び、第二固定子には四個の羽部が伸び、これによって回転子の最低回転角度が４５度まで下がることを特徴とする請求項４記載のカメラの絞りシャッター駆動構造。
【考案の詳細な説明】
【技術分野】
【０００１】
本考案は、カメラの絞りシャッター駆動構造に関するもので、特に体積が小さく、制御角度の制限が比較的少ない絞りシャッター駆動モータである。
【背景技術】
【０００２】
カメラは絞りシャッターで一瞬の情景を捉え、それを長期に保存する。現在、流行っているデジタルカメラはセンサー部品に依るもので、フィルムを交換する必要がなく、且つ撮影結果をプレビューすることができる。しかし、簡便で実用を追求する使用者にとり、カメラが具えている機能の他に、カメラ全体の体積及び重量は購入時の条件のひとつとなる。
【０００３】
公知のカメラのシャッターは単片もしくは多片式に依る絞り羽が多く、駆動構造によって即座に開閉し、絞りの大小を調整することにより、露出の程度を制御する。この絞りシャッターの駆動構造、特に現在流行っているデジタルカメラにとって、モータを駆動の動力としているものが多い。図１及び図２に示すとおり、このモータ９の主な構造は、ペンチ形の固定子９１、固定子９１に固定するコイル９２、回転子９３及び回転子９３の動きで動く連動部品９４を含む。この回転子９３は、固定子９１の両端近くに枢設し、コイル９２に電流が通った時、固定子９１の両端が各々Ｎ極とＳ極に分かれ、回転子９３の駆動により回転する。また回転子９３が回転すると、連動部品９４により絞りシャッターが動作して開閉や絞りの大小を調節する動作を行う。
【０００４】
公知のカメラ駆動構造において、モータ本体９１の固定子９１、コイル９２、回転子９３の三者がすべて異なる軸心上に位置し、図１及び図２を見ればわかるように、このモータ本体９の固定子９１の形態が長方形の構造であるため、固定子９１、コイル９２、回転子９３すべての組立には大きな体積を占めることなり、重量もまた増加する。
【０００５】
更に公知のこの種の固定子９１の形態は、回転子９３に対して１８０度及びその倍数の角度が回転するように調整してあり、更に小さい角度の回転制御はできない。但しカメラのシャッター開閉時間及び絞りの大きさは画像に対して大きな影響をもたらすため、機能上制限を取り外すことが困難である。
【考案の開示】
【考案が解決しようとする課題】
【０００６】
解決しようとする問題点は、モータ本体は体積が大きいだけでなく、最小角度の制限を改善することが困難であり、実用的でない点である。
【課題を解決するための手段】
【０００７】
本考案は、駆動部及び回転部を軸方向に枢設する。この駆動部は第一固定子、第二固定子、及び第一、第二固定子の間に設置するコイルユニットを含む。このコイルユニットは、第二固定子の鉄心に差し込む。第一固定子と第二固定子には第一羽部と第二羽部が伸び、第一、第二羽部は円弧形で相互に交錯して設置し、それらが囲んだ円形空間に回転部を納置する。回転部は軸桿で駆動部の鉄心上に枢設し、且つ回転部の回転子は第一、第二羽部が囲んだ空間内に位置する。回転部は回転子上に連動部品を設置し、その連動部品を通して回転子が絞りシャッターを動かすことを最も主要な特徴とする。
【考案の効果】
【０００８】
本考案のカメラの絞りシャッター駆動構造は、体積が小さく、制御角度の制限が比較的少ないという利点がある。
【考案を実施するための最良の形態】
【０００９】
本考案の主な目的は、カメラの絞りシャッター駆動構造を提供し、公知のカメラの絞りシャッター駆動構造体積が大きく、最小角度の制限を改善する。
【００１０】
上述の目的のため、本考案は、駆動部及び回転部を軸方向に枢設して構成する。この駆動部は第一固定子、第二固定子及び第一、第二固定子の間のコイルユニットを含む。このコイルユニットは第二固定子の鉄心に差し込む。第一固定子と第二固定子には第一羽部と第二羽部が軸方向に伸び、第一、第二羽部はどちらも円弧形状で、相互に交錯して設置し、その囲まれた円形空間に回転部を納置する。
【００１１】
この回転部は、軸桿を駆動部の鉄心上に枢設し、且つ回転部の回転子は第一、第二羽部で囲んだ空間内に納置する。この回転部は回転子上に連動部品を設置し、連動部品を通して回転子が絞りシャッターを動かす。
【００１２】
上述の構造のうち、駆動部及び回転部はすべて同一軸心上に位置するため、外形上は円柱形状であり、公知の長方形構造と比較して大幅に体積を縮小し、設置空間を減少させ、カメラ全体を軽くする。
【００１３】
更にこの種の第一固定子と第二固定子の構造形態は、可視状況の必要に応じて羽部の数を増やす。羽部の数を増やすと、回転子の最小回転角度を下げる効果がある。
【実施例１】
【００１４】
図３から図５に示すとおり、この種のカメラの絞りシャッター駆動構造は、主に駆動部１０及び回転部から構成するモータ本体を含む。そのうち、
【００１５】
駆動部１０は、第一固定子１１、第二固定子１２及びコイルユニット１３を含む。この第一固定子１１は円形蓋の形状で、その中央には定位孔１１１が成形され、そこに第二固定子１２が設置される。この第一固定子１１の径方向外端の一部分は軸方向に伸び、第一羽部１１２が成形される。この第一羽部１１２は１８０度の円弧形板体よりやや小さい。第二固定子１２は、円形盤形状で、その中央には穿孔１２１が成形され、その穿孔の外軸向きに鉄心１４が成形される。この鉄心１４は第一固定子１１の定位孔１１１内に固定される。第二固定子１２の径方向外端の一端部もまた軸方向に伸び、第二羽部１２２を形成する。この第二羽部１２２は１８０度の円弧形板体よりやや小さい。コイルユニット１３の中央には穿孔１３１を具える。
【００１６】
この第一固定子１１、第二固定子１２とコイルは、定位孔１１１を穿孔１２１、１３１位置に対応させ、続いて鉄心１４を軸方向に設置する。この鉄心１４は第一固定子１１の定位孔１１１内に固定し、コイルユニット１３の穿孔１３１を差し込み、コイルユニット１３を第一、第二固定子１１，１２の間に納置する。また第一羽部１１２と第二羽部１２２は交錯し、円形に囲まれた空間に回転部２０１を設置する。
【００１７】
この回転部２０は磁性を具えた回転子２１、及び回転子２１の動きに連動する連動部品２２を含む。この回転子２１は軸桿に鉄心１４を枢設し、回転子２１を第一羽部１１２と第二羽部１２２によって囲まれた空間内に納置し、回転可能な結合状態にする。この回転部２０は回転子２１が回転すると、連動部品を通して絞りもしくはシャッターが作動する。
【００１８】
本考案の組立が完成したものが、図４及び図５に示すもので、駆動部１０及び回転部２０の部品がすべて同一軸心上に枢設されているため、構造が安定するだけでなく、必要な体積を大幅に減らす。
【００１９】
本考案を作動させる時、駆動部１０のコイルユニット１３に電流が通ると、アンペールの法則に基づき、コイルユニット１３の軸向き両端面が異なる磁極を形成する。コイルユニット１３は第一固定子１１と第二固定子１２の間に設置されているため、第一、第二固定子１１、１２の第一羽部１１２と第二羽部１２２にも異なる磁極が形成され、第一、第二羽部１１２、１２２の間に位置する回転子２１は磁力作用によって回転し、連動部品２２を通して絞りもしくはシャッターを動かし、開閉もしくは大きさの調整動作を行う。そのうちこの回転子２１が磁力作用を受けて回転する原理である。また連動部品２２が絞りもしくはシャッターを動かす方式は公知の技術に属するため、本考案では申請の対象とせず、更に詳述しない。
【００２０】
図６から図１１は、本考案のカメラの絞りシャッター駆動構造のその他の実施例で、そのうち、主な部品は第一実施例と同じであるため、重複して説明せず、ここでは構造の異なる部分を説明する。
【実施例２】
【００２１】
回転部２０の回転子２１の最小回転角度は、固定子極性に依る交替の角度で制御する。このため、図６、７の第二実施例に示すとおり、第一、第二固定子１１、１２が各々二個の第一、第二羽部１１２、１２２を形成し、相互に交錯して設置し、回転子２１の最小角度は９０度まで下がる。
【実施例３】
【００２２】
図８、図９の第三実施例は、三個の第一、第二羽部１１２、１２２が成形され、相互に交錯して設置し、６０度まで下がる。
【実施例４】
【００２３】
図１０、図１１の第四実施例は、四個の第一、第二羽部１１２，１２２が成形され、４５度まで下がる。
【００２４】
上述は本考案の実施例にすぎず、本考案に制限をするものではなく、同じ考案精神に基づく如何なる修飾もしくは変更は、すべて本考案の保護範囲とする。
【図面の簡単な説明】
【００２５】
【図１】公知のモータ本体外観立体図である。
【図２】公知のモータ側面指示図である。
【図３】本考案の立体分解図である。
【図４】本考案の外観立体図である。
【図５】本考案の断面指示図である。
【図６】本考案の第二実施例立体分解図である。
【図７】本考案の第二実施例の外観立体図である。
【図８】本考案の第三実施例の立体分解図である。
【図９】本考案の第三実施例の外観立体図である。
【図１０】本考案の第四実施例の立体分解図である。
【図１１】本考案の第四実施例の外観立体図である。
【符号の説明】
【００２６】
１０        駆動部
１１        第一固定子
１１１        定位孔
１１２        第一羽部
１２        第二固定子
１２１        穿孔
１２２        第二羽部
１３        コイルユニット
１３１        穿孔
１４        鉄心
２０        回転部
２１        回転子
２１１        軸桿
２２        連動部品
９        モータ本体
９１        固定子
９２        コイル
９３        回転子
９４        連動部品
【図１】
0003126577.tif 000003
【図２】
0003126577.tif 000004
【図３】
0003126577.tif 000005
【図４】
0003126577.tif 000006
【図５】
0003126577.tif 000007
【図６】
0003126577.tif 000008
【図７】
0003126577.tif 000009
【図８】
0003126577.tif 000010
【図９】
0003126577.tif 000011
【図１０】
0003126577.tif 000012
【図１１】
0003126577.tif 000013